【手続補正書】
【提出日】平成21年5月25日(2009.5.25)
【手続補正１】
【補正対象書類名】特許請求の範囲
【補正対象項目名】全文
【補正方法】変更
【補正の内容】
【特許請求の範囲】
【請求項１】
複数の第１発光素子と、前記複数の第１発光素子が取り付けられる第１取付基板と、複数の第２発光素子と、前記複数の第２発光素子が取り付けられる第２取付基板と、を有する照明装置ユニットを備え、
前記照明装置ユニットの前記複数の第１及び第２発光素子の各々は、その取付面に対して実質上平行に発光する発光部を有するサイドビュー型のチップＬＥＤから構成され、前記複数の第１及び第２発光素子はそれぞれ、それらの前記発光部が外側を向くようにして前記第１及び第２取付基板の片面における一側端部に並べて取り付けられ、
前記第１及び第２取付基板の各々の片面が相互に対向して配設され、前記複数の第１発光素子と前記複数の第２発光素子とが交互に並んで配置され、更に、前記照明装置ユニットは複数配設されると共に、前記複数の第１及び第２発光素子の各々の発光部が特定領域を向くように配置されていることを特徴とする照明装置。
【請求項２】
複数の第１発光素子と、前記複数の第１発光素子が取り付けられる第１取付基板と、複数の第２発光素子と、前記複数の第２発光素子が取り付けられる第２取付基板と、を有する照明装置ユニットを備え、
前記照明装置ユニットの前記複数の第１及び第２発光素子の各々は、その取付面に対して実質上平行に発光する発光部を有するサイドビュー型のチップＬＥＤから構成され、前記複数の第１及び第２発光素子はそれぞれ、それらの前記発光部が外側を向くようにして前記第１及び第２取付基板の片面における一側端部に並べて取り付けられ、
前記第１及び第２取付基板の各々の他面が相互に対向して配設され、前記複数の第１発光素子と前記複数の第２発光素子とが相互に相反する方向を向いて交互に配置され、更に、前記照明装置ユニットは複数配設されると共に、前記複数の第１及び第２発光素子の各々の発光部が特定領域を向くように配置されていることを特徴とする照明装置。
【請求項３】
放熱性金属からなる取付基板と、この取付基板の取付面に対して実質上平行に発光する発光部を有するサイドビュー型のチップＬＥＤから構成され、該サイドビュー型のチップＬＥＤは前記取付基板の片面における一側端部に、その発光部が前記取付基板の一側端面の外側を向くように複数個を並べて取り付けてライン状の照明手段３２Ｅを構成し、
前記ライン状の照明手段３２Ｅを取付基板の厚さ方向に、隣り合う照明手段との間に放熱空間２６を設けて複数個配設したことを特徴とする照明装置。
【請求項４】
前記複数のライン状の照明手段は、前記サイドビュー型のチップＬＥＤ各々の前記発光部が特定領域を向くようにして配設されていることを特徴とする請求項３に記載の照明装置。
【請求項５】
前記複数のライン状の照明手段を保持するための取付部材を備え、前記取付部材には複数の取付凹部が設けられており、前記複数の取付凹部の各々には前記取付基板の他側端部が挿入され取り付けられることを特徴とする請求項３または４に記載の照明装置。
【請求項６】
前記発光素子の各々の発光部はそれぞれ、前記取付基板の一側端部より外側に突出されていることを特徴とする請求項１〜３のいずれかに記載の照明装置。
【手続補正２】
【補正対象書類名】明細書
【補正対象項目名】０００７
【補正方法】変更
【補正の内容】
【０００７】
本発明は、複数の第１発光素子と、前記複数の第１発光素子が取り付けられる第１取付基板と、複数の第２発光素子と、前記複数の第２発光素子が取り付けられる第２取付基板と、を有する照明装置ユニットを備え、前記照明装置ユニットの前記複数の第１及び第２発光素子の各々は、その取付面に対して実質上平行に発光する発光部を有するサイドビュー型のチップＬＥＤから構成され、前記複数の第１及び第２発光素子はそれぞれ、それらの前記発光部が外側を向くようにして前記第１及び第２取付基板の片面における一側端部に並べて取り付けられ、
前記第１及び第２取付基板の各々の片面が相互に対向して配設され、前記複数の第１発光素子と前記複数の第２発光素子とが交互に並んで配置され、更に、前記照明装置ユニットは複数配設されると共に、前記複数の第１及び第２発光素子の各々の発光部が特定領域を向くように配置されていることを特徴とする。
【手続補正３】
【補正対象書類名】明細書
【補正対象項目名】０００８
【補正方法】変更
【補正の内容】
【０００８】
また、本発明は、複数の第１発光素子と、前記複数の第１発光素子が取り付けられる第１取付基板と、複数の第２発光素子と、前記複数の第２発光素子が取り付けられる第２取付基板と、を有する照明装置ユニットを備え、
前記照明装置ユニットの前記複数の第１及び第２発光素子の各々は、その取付面に対して実質上平行に発光する発光部を有するサイドビュー型のチップＬＥＤから構成され、前記複数の第１及び第２発光素子はそれぞれ、それらの前記発光部が外側を向くようにして前記第１及び第２取付基板の片面における一側端部に並べて取り付けられ、
前記第１及び第２取付基板の各々の他面が相互に対向して配設され、前記複数の第１発光素子と前記複数の第２発光素子とが相互に相反する方向を向いて交互に配置され、更に、前記照明装置ユニットは複数配設されると共に、前記複数の第１及び第２発光素子の各々の発光部が特定領域を向くように配置されていることを特徴とする。
【手続補正４】
【補正対象書類名】明細書
【補正対象項目名】０００９
【補正方法】変更
【補正の内容】
【０００９】
また本発明は、放熱性金属からなる取付基板と、この取付基板の取付面に対して実質上平行に発光する発光部を有するサイドビュー型のチップＬＥＤから構成され、該サイドビュー型のチップＬＥＤは前記取付基板の片面における一側端部に、その発光部が前記取付基板の一側端面の外側を向くように複数個を並べて取り付けてライン状の照明手段３２Ｅを構成し、
前記ライン状の照明手段３２Ｅを取付基板の厚さ方向に、隣り合う照明手段との間に放熱空間２６を設けて複数個配設したことを特徴とする。
【手続補正５】
【補正対象書類名】明細書
【補正対象項目名】００１０
【補正方法】変更
【補正の内容】
【００１０】
さらに、本発明の照明装置では、前記複数の第１及び第２発光素子の各々の前記発光部はそれぞれ、前記第１及び第２取付基板の一側端部より外側に突出されていることを特徴とする。
【手続補正６】
【補正対象書類名】明細書
【補正対象項目名】００１１
【補正方法】変更
【補正の内容】
【００１１】
また、本発明の照明装置では、複数のライン状の照明手段を保持するための取付部材を備え、前記取付部材には複数の取付凹部が設けられており、前記複数の取付凹部の各々には前記取付基板の他側端部が挿入され取り付けられることを特徴とする。
【手続補正７】
【補正対象書類名】明細書
【補正対象項目名】００１２
【補正方法】変更
【補正の内容】
【００１２】
さらに、本発明の照明装置では、複数のライン状の照明手段は、それらの前記複数の発光素子の各々の前記発光部が特定領域を向くようにして配設されていることを特徴とする。
【手続補正８】
【補正対象書類名】明細書
【補正対象項目名】００１３
【補正方法】変更
【補正の内容】
【００１３】
また、本発明の照明装置では、前記複数の発光素子の各々の発光部は、前記取付基板の一側端部より外側に突出されていることを特徴とする。